(57)【要約】【課題】上蓋を除いたり振り出し孔を合わせたりする動作を無くし、調味料が使用出来る状態に於いて、外部と容器内の密閉度を高め調味料が湿気る事無く衛生的に使用出来る調味料容器を提供する。【解決手段】調味料を入れる容器本体１、１ａと、頂部に孔８、８ａが設けられキャップ状に形成され容器本体１、１ａの開口部に取り付けられた外蓋２、２ａと、孔８、８ａに摺合する蓋部３、３ａ及びガイド部４、４ａを備えた内蓋と、ガイド部４、４ａを支持して蓋部３、３ａが孔８、８ａに摺合する位置より調味料振り出し孔が開口する位置の間で移動可能に支持する支持部５、５ａと、蓋部３、３ａを移動させる機構としてガイド部４、４ａ内を移動できる錘７、７ａを備える。【選択図】図１
2007083025.tif 000002
【特許請求の範囲】
【請求項１】
上部が開口する容器本体と、
頂部に孔が設けられた、キャップ状に形成され前記容器本体の開口部に取り付けられた外蓋と、
前記孔に摺合する蓋部及びガイド部を備えた内蓋と、
前記ガイド部を支持して前記蓋部が前記孔に摺合する位置より調味料振り出し孔が開口する位置の間で移動可能に支持する支持部とを備える事を特徴とする卓上調味料容器
【請求項２】
前記支持部と前記内蓋間、または前記外蓋と前記内蓋間に前記内蓋を常時は前記蓋部を前記孔に摺合する位置に付勢する付勢手段が設けられている事を特徴とする請求項１記載の卓上調味料容器。
【請求項３】
前記内蓋を移動させる機構として筒状に形成された前記ガイド部内に移動可能に錘が収納されている事を特徴とする請求項１または請求工２記載の卓上調味料容器。
【請求項４】
前記外蓋の前記孔は一連に形成した前記孔が設けられている事を特徴とする請求項１または請求工２または請求項３記載の卓上調味料容器。
【請求項５】
前記外蓋の前記孔は複数の独立した前記孔が設けられている事を特徴とする請求項１または請求工２または請求項３または請求項４記載の卓上調味料容器。
【発明の詳細な説明】
【技術分野】
【０００１】
本発明は卓上調味料容器に関し、調味料を入れる容器本体上側開口部に調味料振り出し孔がいくつか開いた内蓋が設けられ、前記内蓋、前記調味料振り出し孔を覆うように上蓋が設けられているが、上蓋で振り出し孔を塞ぐ必要が無く、使用する状態で外部と容器内の密閉度を高め調味料が湿気らない様に、また衛生的に使用出来る卓上調味料容器に関する。
【背景技術】
【０００２】
家庭、食堂、レストランなどで広く使われている塩、コショウなどを入れる卓上調味料容器は、調味料を入れる容器本体の上側開口部に調味料振り出し孔がいくつか開いた内蓋が設けられ、前記内蓋、前記調味料振り出し孔を覆うように上蓋をかぶせ容器内を密閉している物が一般的なもので、湿気で調味料が前記振り出し孔につまってしまう為前記振り出し孔の中に突出部が入るようになった前記上蓋のもの、前記振り出し孔の上に前記上蓋に相当する物が載っていて逆さにすると前記上蓋に相当する物がずれて前記振り出し孔が表れる物、前記上蓋が元々なく前記振り出し孔が露出したままの容器、または前記上蓋にも振り出し孔が開いていて前記上蓋を回して前記上蓋の孔と前記内蓋の振り出し孔を合わせるものもあるが、前記上蓋に相当するものが無いと前記振り出し孔が露出した状態なので前記容器内の調味料を衛生的に使用することが出来ない、また調味料が湿気やすい。
【特許文献１】特許公開２００２−１４２９４９号公報
【特許文献２】特許公開２０００−１３９６６３号公報
【発明の開示】
【発明が解決しようとする課題】
【０００３】
従来の卓上調味料容器は上記のように使用する際に前記上蓋に相当する物を除いて使うというわずらわしさや、前記上蓋に相当する物が無いと調味料振り出し孔が露出した状態なので湿気て調味料がつまってしまう、あるいは調味料が湿気て容器の周りに付着してしまうという問題がある。
【０００４】
使用後前記上蓋をしないで置いて有る事も調味料が湿気る原因の一つで、食堂、レストランなど不特定多数の人が使用する場所に於いて使用した人が前記上蓋をしなかったり、店によっては前記上蓋をせずに前記内蓋のままで使用している所も多く衛生的によくない。また料理中に前記上蓋を脱着する事はとても面倒くさく、湯気の出ているものに使う場合などは前記振り出し孔が湯気で湿気て内容物が固まってしまうなどの問題がある。
【０００５】
そこで、本発明はこれらの課題を解決すべく考案された物であり、その目的とする所は、容器内の内容物が湿気りにくく、不特定多数の人が使用する場所においても衛生的に使用出来る卓上調味料容器を提供する事にある。
【課題を解決するための手段】
【０００６】
本発明は上記目的を達成するために、次の機構を備える。
すなわち、上部が開口する容器本体１と、頂部に孔８が設けられ、キャップ状に形成され容器本体１の開口部に取り付けられた外蓋２と、孔８に摺合する蓋部３及びガイド部４を備えた内蓋と、ガイド部４を支持して蓋部３が孔８に摺合する位置より調味料振り出し孔が開口する位置の間で移動可能に支持する支持部５と、常時は蓋部３を孔８に摺合する位置に付勢する付勢手段が設けられている事を特徴とする。
【０００７】
前記内蓋に筒状に形成されたガイド部４内に移動可能に錘７が収納されている事を特徴とする。
【発明の効果】
【０００８】
本発明に係る卓上調味料容器は、上記記載した機構を備える事により、振りかけ動作をした時に調味料振り出し口が開き、調味料が出るとすぐ前記調味料振り出し口が閉じる機構になっており、振りかけ動作をしない限りさかさにしても前記調味料振り出し口が開かない為、衛生的に湿気など心配せずに使用出来る卓上調味料容器を提供する。
【０００９】
上述したような機構で前記振り出し孔を塞ぐ事で調味料をつまらす事も湿気らしてしまう事も無く、不特定多数の人が使う場所に於いても使用時の状態で外部と前記容器本体内の密閉度を高め衛生的に使用出来る卓上調味料容器を提供する。
【発明を実施するための最良の形態】
【００１０】
以下、本発明の好適な実施の形態について添付図面とともに詳細に説明する。
図１は本発明にかかる卓上調味料容器の一実施形態の構成を示す断面図、図２ａは部品の断面図、図２ｂは部品の上面図である。
【実施例１】
【００１１】
図１は、本発明の１実施例の断面図、図２は部品図である。
本実施形態の卓上調味料容器は図１に示すように調味料を入れる上部が開口した容器本体１と、頂部に孔８が設けられた、キャップ状に形成され容器本体１の開口部に取り付けられた外蓋と、孔８に摺合する位置より調味料振り出し孔が開口する位置の間で移動可能に、常時は孔８に摺合する蓋部３及びガイド部４を備えた内蓋と、、蓋部３が孔８に摺合する位置より前記調味料振り出し孔が開口する位置の間安定的にガイド部４を支持する支持部５を主要構成とする。
【００１２】
図１、スプリング６は、孔８と蓋部３を安定的に摺合させるため、支持部５とガイド部４にあるスプリングストッパー９間に設置してある。
【００１３】
蓋部３を孔８に摺合する位置より前記調味料振り出し孔が開口する位置の間を移動させる機構として、調味料をふりかける動作で容器を上下した時、ガイド部４内の錘７がスライドしガイド部４上端にあたりスプリング６を収縮し蓋部３を移動させる事が出来る。またスプリング６の付勢作用で孔８に蓋部３が摺合する位置に戻す事が出来る。
【００１４】
上述したように蓋部３が外蓋２より移動する事で出来る隙間を前記調味料振り出し孔にしたのが特徴の調味料容器で、逆さにしただけでは前記振り出し孔は開かず、調味料を振りかける動作の上下動をした時前記振り出し孔が開き、ふりかけ動作をやめると前記振り出し孔が閉じる。以上の事で使用動作時以外前記振り出し孔を塞ぐ事が出来る事を特徴とした卓上調味料容器。
【００１５】
前記内蓋を安定的にスライドさせるために支持部５と外蓋２でガイド部４及び蓋部３を支持している。
【００１６】
外蓋２の孔８は一連に形成された孔で構成されている。
【００１７】
外蓋２に設けた孔８の外周に、蓋部３の外周を少し重ねることで前記卓上調味料容器内の密閉度を高めることが出来る
【実施例２】
【００１８】
図３は、本発明の１実施例の断面図、図４は部品図、図５は蓋部の形状を表したものである。
本実施形態の卓上調味料容器は図３に示すように調味料を入れる、上部が開口した容器本体１ａと、頂部に孔８ａが設けられた、キャップ状に形成され容器本体１ａの開口部に取り付けられた外蓋と、孔８ａに摺合する位置より調味料振り出し孔が開口する位置の間で移動可能に、常時は孔８ａに摺合する蓋部３ａ及びガイド部４ａを備えた内蓋と、蓋部３ａが孔８ａに摺合する位置より前記調味料振り出し孔が開口する位置の間ガイド部４ａを安定的に支持する支持部５ａを主要構成とする。
【００１９】
図３、本実施形態ではスプリング６ａをガイド部４ａと上蓋２ａ間に設けてある、実施例１のスプリング６と機能は同じであるが設置が楽なことと内容物で動きが悪くなることがない。
【００２０】
本実施形態では外蓋２ａの孔８ａは独立した複数の孔で出来ているため、孔８ａの大きさ形を様々に決めることが出来、調味料の出具合調整が容易で、平均に拡散させる事が出来る。
【００２１】
本実施形態ではガイド部４ａの上側にストッパー１１を設けた事により振りかけ動作で開口する前記調味料振り出し口を振りかけ動作の強弱にかかわらず一定に保つことが出来るため調味料の振り出し量を一定に保つことが出来る。
【００２２】
また蓋部３、３ａを外蓋２、２ａの孔８、８ａに摺合する位置に付勢する手段として支持部５、５ａをスプリングにすることも考えられる。また支持部５、５ａとは別に同じような形でスプリングを取り付けることも出来る。
【００２３】
図５、１２は蓋部の形状を表したもので図のように斜めにカットすることでより内容物が出やすくなる。このことは上蓋２、２ａの孔８、８ａにも適応することが出来る。
【００２４】
支持部５、ガイド部４などの部分にスプラッシュラインをつける事で蓋部３がスライドする際に回転を加え隙間を広げ調味料の振り出し量を変える事も出来る。また、外蓋２、２ａ蓋部３、３ａの形状を変えることで調味料の振り出し量や広がりを変える事も出来る。
【００２５】
ガイド部４、４ａに錘７を入れなくても前記内蓋の重みで、調味料を振り出す動作で蓋部３、３ａを移動させる事も出来る。
【００２６】
錘７、７ａがガイド部４、４ａ内の上下端に当たる振動で容器内に付着した調味料を落としたり、調味料を振り出しやすくする事が出来る。
【００２７】
孔８、８ａに蓋部３、３ａを付勢させる付勢手段を用いなくてもガイド部４、４ａ内の錘７、７ａがガイド部４、４ａの上下端に当たる振動で容器内に付着した調味料を落としたり、調味料を振り出しやすくする事が出来る。
【００２８】
前記内蓋ガイド部４、４ａに内蓋ストッパー１０、１０ａを設け支持部５，５ａに当たる位置で止めることで、蓋部３、３ａを孔８、８ａに摺合する位置に常時安定的に定着させる事がが出来る。
【産業上の利用可能性】
【００２９】
食堂、レストランなど頻繁に不特定多数の人が使う場所で使用する際、上蓋の閉め忘れの心配が無く、使用時以外は外部と調味料容器内の密閉度を高め常に衛生的に使用する事が出来る。
【図面の簡単な説明】
【００３０】
【図１】調味料容器全体の断面図である。
【図２】ａは部品断面図、ｂは上面図である。
【図３】調味料容器全体の断面図である。
【図４】ｃは部品断面図、ｄは上面図である。
【図５】蓋部の形状である。
【符号の説明】
【００３１】
１、１ａ   容器本体
２、２ａ   外蓋
３、３ａ      蓋部
４、４ａ     ガイド部
５、５ａ     支持部
６、６ａ     スプリング
７、７ａ     錘
８、８ａ     孔
９            スプリングストッパー
１０、１０ａ   内蓋ストッパー
１１           ストッパー
【図１】
2007083025.tif 000003
【図２】
2007083025.tif 000004
【図３】
2007083025.tif 000005
【図４】
2007083025.tif 000006
【図５】
2007083025.tif 000007